(57)【要約】【課題】  ２次色、３次色を設計時の目標色値に合わせるとともに、ＣＭＹ混色グレーの階調変化のおける色相の変動を小さくするようにＣ，Ｍ，Ｙ，Ｋ１次元の補正テーブルを作成するキャリブレーションを行う。【解決手段】  プリンタのＣ，Ｍ，Ｙ，Ｋの一次元補正テーブルを調整するキャリブレーションにおいて、Ｋ単色の階調パッチとＣＭＹ色空間において全体的に分布させた１，２，３次色の混色パッチを出力し、出力したカラーチャートの濃度値あるいはＬａｂ値等の色値を測定し、Ｋ単色の全階調とＣＭＹ混色の組合せの色値を推定し、Ｋ単色の目標色値に近くなるようＫの補正テーブルを設定し、ＣＭＹの２色の組合せからなる２次色について目標色値に近くなるよう２色についてそれぞれ補正テーブルを設定し、３次色の目標色値に近くなるよう残りの１色の補正テーブルを設定する。【選択図】  図１
2005176032.tif 000002
【特許請求の範囲】
【請求項１】
プリンタのＣ，Ｍ，Ｙ，Ｋの一次元補正テーブルを調整するキャリブレーションにおいて、Ｋ単色の階調パッチとＣＭＹ色空間において全体的に分布させた１，２，３次色の混色パッチを出力し、出力したカラーチャートの濃度値あるいはＬａｂ値等の色値を測定し、Ｋ単色の全階調とＣＭＹ混色の組合せの色値を推定し、Ｋ単色の目標色値に近くなるようＫの補正テーブルを設定し、ＣＭＹの２色の組合せからなる２次色について目標色値に近くなるよう２色についてそれぞれ補正テーブルを設定し、３次色の目標色値に近くなるよう残りの１色の補正テーブルを設定することを特徴とするキャリブレーション方式。
【請求項２】
プリンタのＣ，Ｍ，Ｙの一次元補正テーブルを調整するキャリブレーションにおいて、ＣＭＹ色空間において全体的に分布させた１，２，３次色の混色パッチを出力し、出力したカラーチャートの濃度値あるいはＬａｂ値等の色値を測定し、ＣＭＹ混色の組合せの色値を推定し、ＣＭＹの２色の組合せからなる２次色について目標色値に近くなるよう２色についてそれぞれ補正テーブルを設定し、３次色の目標色値に近くなるよう残りの１色の補正テーブルを設定することを特徴とするキャリブレーション方式。
【請求項３】
プリンタのＣ，Ｍ，Ｙ，Ｋの一次元補正テーブルを調整するキャリブレーションにおいて、Ｋ単色の階調パッチとＣＭＹ色空間において全体的に分布させた１，２，３次色の混色パッチを出力し、出力したカラーチャートの濃度値あるいはＬａｂ値等の色値を測定し、Ｋ単色の全階調とＣＭＹ混色の組合せの色値を推定し、Ｋ単色の目標色値に近くなるようＫの補正テーブルを設定し、ＣＭＹの２色の組合せからなる２次色について目標色値に近くなるよう２色についてそれぞれ補正テーブルを設定し、上記とは別のＣＭＹ２色の組合せからなる２次色の目標色値に近くなるよう残りの１色の補正テーブルを設定することを特徴とするキャリブレーション方式。
【請求項４】
請求項１のキャリブレーション方式において、Ｋ単色の階調パッチとＣＭＹ色空間において格子点状となる組合せの混色パッチを出力することを特徴とするキャリブレーション方式。
【発明の詳細な説明】
【技術分野】
【０００１】
プリンタの変動を補正するキャリブレーションに関する技術。
【背景技術】
【０００２】
従来のキャリブレーションではＣ，Ｍ，Ｙ，Ｋといった一次色レベルで目標濃度に合わせるというものであった。
【０００３】
しかし、一次色を目標濃度に合わせるキャリブレーションでは２次色、３次色と１次色との関係が環境変動によって変化することを考慮していないため、２次色、３次色が設計された状態のものと異なってしまっても調整できないという問題があった。
【０００４】
また、ＣＭＹ混色グレーを一度に目標色値に合わせるという方式では目標となるグレーが無彩色付近の色であるために測定誤差や計算誤差の影響を受けやすく、階調変化における色相の変動が目立ちやすいという問題があった。
【特許文献１】特開2001-232917号公報
【発明の開示】
【発明が解決しようとする課題】
【０００５】
本発明が解決しようとする課題は、２次色、３次色を設計時の目標色値に合わせるとともに、ＣＭＹ混色グレーの階調変化のおける色相の変動を小さくするようにＣ，Ｍ，Ｙ，Ｋ１次元の補正テーブルを作成するキャリブレーションを行うことである。
【課題を解決するための手段】
【０００６】
本発明では、Ｋ単色及びＣ，Ｍ，Ｙ色空間で格子点状のように全体的に分布させたパッチデータをプリンタから出力し、濃度値やＬａｂ値などの色値を測定する。測定データからＫ単色全階調の色値とＣ，Ｍ，Ｙ組合せの色値を補間計算により推定する。Ｋ単色の推定値から階調毎にＫ単色の目標色値に近いＫの階調を選択し、その対応関係からＫの補正テーブルを作成する。次に、ＣＭ／ＣＹ／ＭＹ等の２次色に対して階調毎に２次色の目標色値に近い推定値となる対応する２色の組合せを選択し、その対応関係からその２色についてそれぞれ補正テーブルを作成する。次に、階調毎に決定された上記の２色の組合せに残りの１色を加えた組合せの推定色値が３次色の目標色値となるように残りの１色の階調を選択し、その対応関係から残りの１色の補正テーブルを作成する。以上の処理により全階調についてＣ，Ｍ，Ｙ，Ｋの補正テーブルが得られる。
【発明の効果】
【０００７】
本発明によれば、ＣＭＹ混色グレーの階調変化による色相の変動を抑えるとともにＣＭＹ混色グレー及びＣＭ等の２次色の再現精度を向上させたキャリブレーションを実施できるという効果がある。
【発明を実施するための最良の形態】
【０００８】
本発明の第１の実施例を説明する。図１は本発明の構成を示すブロック図である。
【０００９】
中央制御装置１１がＵＩ１０、記憶装置１２、プリンタ１３、測定機１４を制御する。ＵＩ１０はユーザとキーボード・マウス・画面などを通して入出力を行う。記憶装置１２はデータを記憶する。記憶装置１２に記憶されるデータのうち、主なものとして１２０〜１２６を説明する。カラーパッチデータ１２０はキャリブレーションを行うためのＣ，Ｍ，Ｙ，Ｋの組合せのデータであり，本発明ではＫ単色とＣ，Ｍ，Ｙの組合せの色である。測定色値１２１はカラーパッチデータ１２０をプリンタ１３から印刷したカラーチャート出力物１３０を測定機１４により測定した濃度値あるいはＬａｂ値等の色値である。推定色値１２２は測定色値１２１からパッチデータ以外の色についても補間計算により推定を行った濃度値あるいはＬａｂ値等の色値である。階調毎のＫ単色目標色値１２３はＫ単色を調整するための目標となる濃度値あるいはＬａｂ値等の色値である。階調毎の２次色目標色値１２４はＣＭ／ＣＹ／ＭＹ等の２次色の組合せを調整するための目標となる濃度値あるいはＬａｂ値等の色値である。階調毎の３次色目標色値１２５はＣＭＹの３次色の組合せを調整するための目標となる濃度値あるいはＬａｂ値等の色値である。一次元補正テーブル１２６はＣ，Ｍ，Ｙ，Ｋの一次元のテーブルであり、このテーブルの値に基づいてプリンタのデバイスＣ，Ｍ，Ｙ，Ｋデータに対してキャリブレーション補正を行う。
【００１０】
図２は本発明の一実施例のキャリブレーション方式を示すフローチャートである。
【００１１】
（ステップＳ２０）カラーパッチデータ１２０から生成された画像をプリンタ１３から出力し、カラーチャート出力物１３０を得る。例えば、カラーパッチデータとして、Ｋ単色 {0, 17, 34, 51, 68, 85, 102, 119, 136, 153, 170, 187, 204, 221, 238, 255} の１６階調とＣ，Ｍ，Ｙの上記各１６階調の組合せ１６×１６×１６＝４０９６色の全部で４１１２色を出力する。
【００１２】
（ステップＳ２１）カラーチャート出力物１３０を測定機１４により濃度値やＬａｂ値等の色値を測定し、測定色値１２１に保存する。
【００１３】
（ステップＳ２２）処理階調として０を代入する。
【００１４】
（ステップＳ２３）Ｋ補正テーブルにおける処理階調の値を決定する。測定色値１２１のＫ単色の１６階調データから補間計算によりＫ単色全階調について推定色値１２２を求める。階調毎のＫ単色目標色値１２３の処理階調での値に最も近い推定色値となるＫの階調を選択する。この対応関係を図９の一次元補正テーブルのＫの処理階調へ設定する。図５が濃度値の場合における、階調毎のＫ単色目標色値１２３を示す表である。色比率情報としてはＫ単色であることを示すため、図１０の情報が設定されている。図６がＬ値の場合における、階調毎のＫ単色目標色値１２３を示す表である。色比率情報としては同じく図１０の情報が設定されている。
【００１５】
（ステップＳ２４）Ｃ，Ｍ２つの補正テーブルにおける処理階調の値を決定する。測定色値１２１のＣ，Ｍの組合せ２５６色のデータから補間計算によりＣＭの全ての組合せについて推定色値１２２を求める。階調毎の２次色目標色値１２４に設定されているＣＭ（青）の目標色の処理階調での値に最も近い推定色値となるＣ，Ｍ２色の組合せを選択する。この対応関係を図９の一次元補正テーブルのＣ，Ｍの２つについて処理階調へ設定する。図７が濃度値の場合における、階調毎の２次色の目標色値１２４を示す表である。色比率情報としてはＣ，Ｍ同比率色であることを示すため、図１１の情報が設定されている。図８がＬａｂ値の場合における、階調毎の２次色の目標色値１２４を示す表である。色比率情報としては同じく図１１の情報が設定されている。
【００１６】
（ステップＳ２５）Ｙの補正テーブルにおける処理階調の値を決定する。測定色値１２１のＣ，Ｍ，Ｙの組合せ４０９６色のデータから補間計算により、Ｃ，ＭはステップＳ２４で求めた処理階調での値とＹとの組合せについて推定色値１２２を求める。階調毎の３次色目標色値１２５に設定されているＣＭＹ（混色グレー）の目標色の処理階調での値に最も近い推定色値となるＹの組合せを選択する。この対応関係を図９の一次元補正テーブルのＹについて処理階調へ設定する。階調毎の３次色の目標色値１２５は２次色のものと同じく図７あるいは図８の形式である。色比率情報としては図１４の情報が設定されている。
【００１７】
（ステップＳ２６）処理階調の値を１加算する。
【００１８】
（ステップＳ２７）処理階調が２５６より小さいかを判定し、小さければステップＳ２３へ進む。そうでなければ処理を終了する。
【００１９】
次に第２の実施例について説明する。図３が第２実施例のフローチャートである。
【００２０】
第１実施例と違う点はステップＳ２４，Ｓ２５とステップＳ３４，Ｓ３５である。他のステップは同じであるため説明を省略する。
【００２１】
（ステップＳ３４）Ｃ，Ｙ２つの補正テーブルにおける処理階調の値を決定する。測定色値１２１のＣ，Ｙの組合せ２５６色のデータから補間計算によりＣＹの全ての組合せについて推定色値１２２を求める。階調毎の２次色目標色値１２４に設定されているＣＹ（緑）の目標色の処理階調での値に最も近い推定色値となるＣ，Ｙ２色の組合せを選択する。この対応関係を図９の一次元補正テーブルのＣ，Ｙの２つについて処理階調へ設定する。図７が濃度値の場合における、階調毎の２次色の目標色値１２４を示す表である。色比率情報としてはＣ，Ｙ同比率色であることを示すため、図１２の情報が設定されている。図８がＬａｂ値の場合における、階調毎の２次色の目標色値１２４を示す表である。色比率情報としては同じく図１２の情報が設定されている。
【００２２】
（ステップＳ３５）Ｍの補正テーブルにおける処理階調の値を決定する。測定色値１２１のＣ，Ｍ，Ｙの組合せ４０９６色のデータから補間計算により、Ｃ，ＹはステップＳ３４で求めた処理階調での値とＭとの組合せについて推定色値１２２を求める。階調毎の３次色目標色値１２５に設定されているＣＭＹ（混色グレー）の目標色の処理階調での値に最も近い推定色値となるＭの組合せを選択する。この対応関係を図９の一次元補正テーブルのＭについて処理階調へ設定する。階調毎の３次色の目標色値１２５は２次色のものと同じく図７あるいは図８の形式である。色比率情報としては図１４の情報が設定されている。
【００２３】
次の第３の実施例を説明する。第２実施例同様にステップＳ４４，Ｓ４５が第１実施例と異なるだけである。処理する色の順番が異なり、また階調毎の２次色目標色値１２４の色比率情報として図１３が設定されていることを除いて同様であるため説明を省略する。
【００２４】
第４の実施例を説明する。階調毎の２次色目標色値１２４の色比率情報として図１５が設定されている。すなわち、２次色としてＣ：Ｍ＝２：１の色について目標色値が設定されている。概略の手順は第１の実施例のＣ：Ｍ＝１：１の場合と同じ図２のフローとなるが、ステップＳ２４でのＣ，Ｍの補正テーブル作成の処理が少し異なる。
【００２５】
すなわち、処理階調をｎとした時に、２次色目標色値１２４に最も近いＣ，Ｍの組合せを求めた後、Ｃは補正テーブルの階調ｎに対応値を設定するが、Ｍは補正テーブルの階調ｎ／２に対応値を設定する。この為、処理階調２５５まで実行した後でＭの補正テーブルで未決定の階調１２８〜２５５の値を設定しなければならない。例えば、既に決定されたＭ補正テーブルの階調０〜１２７の値に対して、Ｍ単色での濃度値あるいはＬ値等を推定色値１２２から求める。そして階調２５５での補正テーブル値を最大値（２５５）と設定してこの測定色値と先に求めた推定色値からＭ単色での濃度値あるいはＬ値等の色値の全階調についての曲線カーブを補間計算する。このＭ単色で定義された目標色値に最も近いものを選択し、Ｍ補正テーブルの階調１２８〜２５４に対応する値を設定すればよい。
【００２６】
第５の実施例を説明する。第１実施例の階調毎の３次色目標色値１２４としてＣＭＹではなく、ＣＹを設定するような実施例も考えられる。色比率情報は図１２になる。
【００２７】
すなわち、ステップＳ２４でＣ，Ｍを調整した後に、ステップＳ２５でＣＹ（緑）を目標色値となるようにＹの調整を行う。本実施例によれば、３次色ＣＭＹ混色グレーでは調整を行わないが、２つの２次色ＣＭ（青）とＣＹ（緑）を合わせるようなキャリブレーションを実施することが出来る。
【図面の簡単な説明】
【００２８】
【図１】本発明の構成を示すブロック図
【図２】本発明の一実施例のキャリブレーション方式を示すフローチャート
【図３】本発明の第２実施例のキャリブレーション方式を示すフローチャート
【図４】本発明の第３実施例のキャリブレーション方式を示すフローチャート
【図５】階調毎のＫ単色目標濃度を表すテーブルのフォーマット
【図６】階調毎のＫ単色目標Ｌ値を表すテーブルのフォーマット
【図７】階調毎の２次色あるいは３次色の目標濃度を表すテーブルのフォーマット
【図８】階調毎の２次色あるいは３次色の目標Ｌａｂ値を表すテーブルのフォーマット
【図９】一次元補正テーブルのフォーマット
【図１０】色比率情報の例を示す表
【図１１】色比率情報の例を示す表
【図１２】色比率情報の例を示す表
【図１３】色比率情報の例を示す表
【図１４】色比率情報の例を示す表
【図１５】色比率情報の例を示す表
【符号の説明】
【００２９】
１０  ＵＩ
１１  中央制御装置
１２  記憶装置
１３  プリンタ
１４  測定機
１２０〜１２６  記憶装置に記憶される主要なデータ
１３０  カラーチャート出力物
Ｓ２０〜Ｓ２７，Ｓ３０〜Ｓ３７，Ｓ４０〜Ｓ４７  フローチャートの各ステップ
【図１】
2005176032.tif 000003
【図２】
2005176032.tif 000004
【図３】
2005176032.tif 000005
【図４】
2005176032.tif 000006
【図５】
2005176032.tif 000007
【図６】
2005176032.tif 000008
【図７】
2005176032.tif 000009
【図８】
2005176032.tif 000010
【図９】
2005176032.tif 000011
【図１０】
2005176032.tif 000012
【図１１】
2005176032.tif 000013
【図１２】
2005176032.tif 000014
【図１３】
2005176032.tif 000015
【図１４】
2005176032.tif 000016
【図１５】
2005176032.tif 000017